(57)【要約】【課題】情報記録媒体に記録された情報を光学的に読み取る情報読取装置において、情報記録媒体の両面に記録された情報を読み取る場合であっても、情報の読取操作を簡素化することおよびセキュリティ性を高めることが可能になるとともに、構成を簡素化することが可能な情報読取装置を提供する。【解決手段】この情報読取装置は、情報記録媒体２が載置される透明な載置部材３と、載置部材３に載置された情報記録媒体２の下面に光を照射する照明と、載置部材３に載置された情報記録媒体２の上面に光を照射する照明と、載置部材３に載置された情報記録媒体２の下面に記録された情報を読み取るための光学系６と、載置部材３に載置された情報記録媒体２の上面に記録された情報を読み取るための光学系７と、光学系６を通過した光を撮像素子８に結像させるとともに光学系７を通過した光を撮像素子８に結像させる結像光学系９とを備えている。【選択図】図４
2018026804.tif 000002
【特許請求の範囲】
【請求項１】
情報記録媒体に記録された情報を光学的に読み取る情報読取装置であって、
撮像素子と、前記情報記録媒体が載置される透明な載置部材と、前記載置部材に載置された前記情報記録媒体の下面に光を照射する第１の照明と、前記載置部材に載置された前記情報記録媒体の上面に光を照射する第２の照明と、前記載置部材に載置された前記情報記録媒体の下面に記録された情報を読み取るための第１の光学系と、前記載置部材に載置された前記情報記録媒体の上面に記録された情報を読み取るための第２の光学系と、前記第１の光学系を通過した光を前記撮像素子に結像させるとともに前記第２の光学系を通過した光を前記撮像素子に結像させる結像光学系とを備えることを特徴とする情報読取装置。
【請求項２】
前記第１の光学系および前記第２の光学系のいずれか一方を通過した光の一部を前記結像光学系に向かって透過させるとともに、前記第１の光学系および前記第２の光学系のいずれか他方を通過した光の一部を前記結像光学系に向かって反射するビームスプリッタを備えることを特徴とする請求項１記載の情報読取装置。
【請求項３】
前記載置部材に載置された前記情報記録媒体の下面に記録された情報を読み取るときに前記第２の光学系から前記ビームスプリッタに入射する光を遮るとともに、前記載置部材に載置された前記情報記録媒体の上面に記録された情報を読み取るときに前記第１の光学系から前記ビームスプリッタに入射する光を遮るシャッタ機構を備えることを特徴とする請求項２記載の情報読取装置。
【請求項４】
前記シャッタ機構は、前記第１の光学系と前記ビームスプリッタとの間の光路を遮る第１遮光位置と前記第２の光学系と前記ビームスプリッタとの間の光路を遮る第２遮光位置との間で移動可能なシャッタと、前記第１遮光位置と前記第２遮光位置との間で前記シャッタを移動させるシャッタ駆動機構とを備えることを特徴とする請求項３記載の情報読取装置。
【請求項５】
前記載置部材に載置された前記情報記録媒体の下面に記録された情報を読み取るときには、前記第２の照明が光を照射せずに前記第１の照明が光を照射し、前記載置部材に載置された前記情報記録媒体の上面に記録された情報を読み取るときには、前記第１の照明が光を照射せずに前記第２の照明が光を照射することを特徴とする請求項１から４のいずれかに記載の情報読取装置。
【請求項６】
前記載置部材に載置された前記情報記録媒体の下面で反射された光の、前記撮像素子までの光路長と、前記載置部材に載置された前記情報記録媒体の上面で反射された光の、前記撮像素子までの光路長とが略等しくなっていることを特徴とする請求項１から５のいずれかに記載の情報読取装置。
【請求項７】
前記情報読取装置の前面側かつ上面側に配置されるカメラを備えることを特徴とする請求項１から６のいずれかに記載の情報読取装置。
【請求項８】
前記第１の光学系は、前記載置部材よりも下側に配置される反射ミラーを備え、
前記第２の光学系は、前記載置部材に載置された前記情報記録媒体よりも上側に配置される反射ミラーを備え、
前記第１の光学系が備える前記反射ミラーおよび前記第２の光学系が備える前記反射ミラーの少なくともいずれか一方は、前記載置部材に載置された前記情報記録媒体で反射され前記撮像素子に向かう光の光路長方向において位置調整可能となっていることを特徴とする請求項１から７のいずれかに記載の情報読取装置。
【請求項９】
前記第２の光学系は、前記反射ミラーとして、前記載置部材に載置された前記情報記録媒体の上面で反射された光が入射する第１反射ミラーと、前記第１反射ミラーで反射された光が入射する第２反射ミラーとを備え、
前記第１の光学系が備える前記反射ミラーは、前記載置部材に載置された前記情報記録媒体の下面で反射され前記撮像素子に向かう光の光路長方向である第１光路長方向において固定され、
前記第１反射ミラーおよび前記第２反射ミラーの少なくともいずれか一方は、前記載置部材に載置された前記情報記録媒体の上面で反射され前記撮像素子に向かう光の光路長方向である第２光路長方向において位置調整可能となっていることを特徴とする請求項８記載の情報読取装置。
【請求項１０】
前記第１反射ミラーおよび前記第２反射ミラーを保持するミラー保持部材を備え、
前記ミラー保持部材は、上下方向で位置調整可能となっており、
上下方向における前記ミラー保持部材の位置調整を行うことで、前記第２光路長方向における前記第１反射ミラーおよび前記第２反射ミラーの位置調整が行われることを特徴とする請求項９記載の情報読取装置。
【請求項１１】
前記第１反射ミラーは、上下方向に対して所定の角度傾いている状態で前記ミラー保持部材に固定され、
前記第２反射ミラーは、上下方向に対する前記第２反射ミラーの傾斜角度が調整可能となるように前記ミラー保持部材に取り付けられていることを特徴とする請求項１０記載の情報読取装置。
【請求項１２】
請求項１１記載の情報読取装置の調整方法であって、
前記結像光学系の光軸を回転軸とする前記撮像素子の回転方向の位置調整と、前記結像光学系および前記撮像素子の上下方向の位置調整と、前記結像光学系の光軸方向における前記結像光学系の位置を調整することで前記第１の光学系および前記結像光学系を通過する光の焦点位置を調整する焦点調整とを行う第１調整工程と、
前記第１調整工程後に、上下方向における前記ミラー保持部材の位置調整を行って前記第２光路長方向における前記第１反射ミラーおよび前記第２反射ミラーの位置調整を行うとともに、上下方向に対する前記第２反射ミラーの傾斜角度の調整を行う第２調整工程とを備えることを特徴とする情報読取装置の調整方法。
【発明の詳細な説明】
【技術分野】
【０００１】
本発明は、情報記録媒体に記録された情報を光学的に読み取る情報読取装置に関する。また、本発明は、かかる情報読取装置の調整方法に関する。
【背景技術】
【０００２】
従来、パスポートやカード等の情報記録媒体に記録された情報を光学的に読み取る情報読取装置が知られている（たとえば、特許文献１参照）。特許文献１に記載の情報読取装置は、手動式の読取装置である。この情報読取装置は、情報記録媒体の一方の面に印刷された情報を光学的に読み取るイメージセンサを備えている。イメージセンサは、情報記録媒体の搬送路を形成するフレーム部に取り付けられている。
【先行技術文献】
【特許文献】
【０００３】
【特許文献１】国際公開第２００６／０９０８６０号
【発明の概要】
【発明が解決しようとする課題】
【０００４】
情報記録媒体の中には、たとえば、ＩＤカードのように、情報記録媒体の両面の画像情報が必要となる情報記録媒体がある。このような情報記録媒体の両面の情報を特許文献１に記載の情報読取装置で光学的に読み取る場合には、情報記録媒体の一方の面の情報をイメージセンサで読み取る読取操作と、情報記録媒体の他方の面の情報をイメージセンサで読み取る読取操作とを行わなければならず、情報記録媒体に記録された情報の読取操作が煩雑になる。
【０００５】
また、たとえば、両面の画像情報が必要となるＩＤカードの両面の情報を特許文献１に記載の情報読取装置で光学的に読み取る場合には、ＩＤカードの一方の面の情報をイメージセンサで読み取った後に他人のＩＤカードの他方の面の情報をイメージセンサで読み取るといった不正行為が可能となるため、セキュリティ性が低下する。
【０００６】
そこで、本発明の課題は、情報記録媒体に記録された情報を光学的に読み取る情報読取装置において、情報記録媒体の両面に記録された情報を読み取る場合であっても、情報の読取操作を簡素化することおよびセキュリティ性を高めることが可能になるとともに、構成を簡素化することが可能な情報読取装置を提供することにある。
【課題を解決するための手段】
【０００７】
上記の課題を解決するため、本発明の情報読取装置は、情報記録媒体に記録された情報を光学的に読み取る情報読取装置であって、撮像素子と、情報記録媒体が載置される透明な載置部材と、載置部材に載置された情報記録媒体の下面に光を照射する第１の照明と、載置部材に載置された情報記録媒体の上面に光を照射する第２の照明と、載置部材に載置された情報記録媒体の下面に記録された情報を読み取るための第１の光学系と、載置部材に載置された情報記録媒体の上面に記録された情報を読み取るための第２の光学系と、第１の光学系を通過した光を撮像素子に結像させるとともに第２の光学系を通過した光を撮像素子に結像させる結像光学系とを備えることを特徴とする。
【０００８】
本発明の情報読取装置は、載置部材に載置された情報記録媒体の下面に光を照射する第１の照明と、載置部材に載置された情報記録媒体の上面に光を照射する第２の照明と、載置部材に載置された情報記録媒体の下面に記録された情報を読み取るための第１の光学系と、載置部材に載置された情報記録媒体の上面に記録された情報を読み取るための第２の光学系と、第１の光学系を通過した光を撮像素子に結像させるとともに第２の光学系を通過した光を撮像素子に結像させる結像光学系とを備えている。
【０００９】
そのため、本発明では、情報記録媒体を載置部材に載置したままの状態で、情報記録媒体の上下の両面に記録された情報を光学的に読み取ることが可能になる。したがって、本発明では、情報記録媒体の両面に記録された情報を読み取る場合であっても、情報の読取操作を簡素化することが可能になる。また、情報記録媒体を載置部材に載置したままの状態で、情報記録媒体の上下の両面に記録された情報を光学的に読み取ることが可能になるため、たとえば、情報記録媒体の一方の面の情報を撮像素子で読み取った後に他人の情報記録媒体の他方の面の情報を撮像素子で読み取るといった不正行為を防止することが可能になる。したがって、本発明では、情報記録媒体の両面に記録された情報を読み取る場合であっても、セキュリティ性を高めることが可能になる。
【００１０】
また、本発明では、１個の撮像素子を用いて、情報記録媒体の上下の両面に記録された情報を光学的に読み取ることが可能になるため、情報記録媒体の上面に記録された情報を読み取る撮像素子と、情報記録媒体の下面に記録された情報を読み取る撮像素子とが個別に設けられている場合と比較して、情報読取装置の構成を簡素化することが可能になる。
【００１１】
本発明において、情報読取装置は、第１の光学系および第２の光学系のいずれか一方を通過した光の一部を結像光学系に向かって透過させるとともに、第１の光学系および第２の光学系のいずれか他方を通過した光の一部を結像光学系に向かって反射するビームスプリッタを備えることが好ましい。このように構成すると、固定されたビームスプリッタを用いて、第１の光学系を通過した光および第２の光学系を通過した光を結像光学系に導くことが可能になるため、たとえば、第１の光学系を通過した光を結像光学系に向かって通過させる位置と、第２の光学系を通過した光を結像光学系に向かって反射する位置とに反射ミラーを回動させて、第１の光学系を通過した光および第２の光学系を通過した光を結像光学系に導く場合と比較して、結像光学系に向かう光の光路を安定させることが可能になる。したがって、情報記録媒体に記録された情報の読取精度を高めることが可能になる。
【００１２】
本発明において、情報読取装置は、載置部材に載置された情報記録媒体の下面に記録された情報を読み取るときに第２の光学系からビームスプリッタに入射する光を遮るとともに、載置部材に載置された情報記録媒体の上面に記録された情報を読み取るときに第１の光学系からビームスプリッタに入射する光を遮るシャッタ機構を備えることが好ましい。このように構成すると、情報記録媒体の下面に記録された情報を読み取るときに、情報記録媒体の上面で反射された外乱光の影響を排除することが可能になるとともに、情報記録媒体の上面に記録された情報を読み取るときに、情報記録媒体の下面で反射された外乱光の影響を排除することが可能になる。したがって、情報記録媒体に記録された情報の読取精度をより高めることが可能になる。
【００１３】
本発明において、シャッタ機構は、第１の光学系とビームスプリッタとの間の光路を遮る第１遮光位置と第２の光学系とビームスプリッタとの間の光路を遮る第２遮光位置との間で移動可能なシャッタと、第１遮光位置と第２遮光位置との間でシャッタを移動させるシャッタ駆動機構とを備えることが好ましい。このように構成すると、第１の光学系とビームスプリッタとの間の光路を遮るシャッタと、第２の光学系とビームスプリッタとの間の光路を遮るシャッタとが個別に設けられている場合と比較して、情報読取装置の構成を簡素化することが可能になる。
【００１４】
本発明において、載置部材に載置された情報記録媒体の下面に記録された情報を読み取るときには、第２の照明が光を照射せずに第１の照明が光を照射し、載置部材に載置された情報記録媒体の上面に記録された情報を読み取るときには、第１の照明が光を照射せずに第２の照明が光を照射することが好ましい。このように構成すると、情報記録媒体の下面に記録された情報を読み取るときに、第２の照明から照射されて情報記録媒体の上面で反射される光の影響を排除することが可能になるとともに、情報記録媒体の上面に記録された情報を読み取るときに、第１の照明から照射されて情報記録媒体の下面で反射される光の影響を排除することが可能になる。したがって、情報記録媒体に記録された情報の読取精度をより高めることが可能になる。
【００１５】
本発明において、載置部材に載置された情報記録媒体の下面で反射された光の、撮像素子までの光路長と、載置部材に載置された情報記録媒体の上面で反射された光の、撮像素子までの光路長とが略等しくなっていることが好ましい。このように構成すると、載置部材に載置された情報記録媒体の下面の情報と、載置部材に載置された情報記録媒体の上面の情報とを同じ倍率で撮像することが可能になる。
【００１６】
本発明において、情報読取装置は、情報読取装置の前面側かつ上面側に配置されるカメラを備えることが好ましい。このように構成すると、たとえば、情報記録媒体の読取操作を行う情報記録媒体の所有者の顔写真を撮影することが可能になる。したがって、たとえば、撮像素子で読み取られた情報記録媒体の顔写真情報と、カメラで撮影された顔写真とを照合して、情報記録媒体の所持者が本人であるのか否かを判別することが可能になる。また、このように構成すると、たとえば、バーコード等が表示された携帯端末を操作者がカメラにかざすことで、携帯端末に表示された情報を読み取ることが可能になる。
【００１７】
本発明において、第１の光学系は、載置部材よりも下側に配置される反射ミラーを備え、第２の光学系は、載置部材に載置された情報記録媒体よりも上側に配置される反射ミラーを備え、第１の光学系が備える反射ミラーおよび第２の光学系が備える反射ミラーの少なくともいずれか一方は、載置部材に載置された情報記録媒体で反射され撮像素子に向かう光の光路長方向において位置調整可能となっていることが好ましい。
【００１８】
このように構成すると、情報記録媒体の上下の両面に記録された情報を１個の撮像素子で光学的に読み取ることが可能であっても、情報記録媒体の下面で反射されて撮像素子に向かう光の光路長と、情報記録媒体の上面で反射されて撮像素子に向かう光の光路長とを適切に設定することが可能になる。すなわち、情報記録媒体の上下の両面に記録された情報を１個の撮像素子で光学的に読み取ることが可能であっても、第１の光学系および結像光学系を通過する光の焦点位置と、第２の光学系および結像光学系を通過する光の焦点位置とを適切に設定することが可能になる。したがって、情報記録媒体の上下の両面に記録された情報を１個の撮像素子で光学的に読み取ることが可能であっても、情報記録媒体の上下の両面に記録された情報の読取精度を高めることが可能になる。
【００１９】
なお、本願明細書において「載置部材に載置された情報記録媒体で反射され撮像素子に向かう光の光路長方向において位置調整可能となっている」とは、載置部材に載置された情報記録媒体で反射されて撮像素子に向かう光の光路長を変えられるように位置調整可能になっていることをいう。
【００２０】
本発明において、第２の光学系は、反射ミラーとして、載置部材に載置された情報記録媒体の上面で反射された光が入射する第１反射ミラーと、第１反射ミラーで反射された光が入射する第２反射ミラーとを備え、第１の光学系が備える反射ミラーは、載置部材に載置された情報記録媒体の下面で反射され撮像素子に向かう光の光路長方向である第１光路長方向において固定され、第１反射ミラーおよび第２反射ミラーの少なくともいずれか一方は、載置部材に載置された情報記録媒体の上面で反射され撮像素子に向かう光の光路長方向である第２光路長方向において位置調整可能となっていることが好ましい。このように構成すると、第１の光学系が備える反射ミラーの、第１光路長方向での位置調整作業が不要になるため、情報読取装置の調整作業を簡素化することが可能になる。
【００２１】
本発明において、情報読取装置は、第１反射ミラーおよび第２反射ミラーを保持するミラー保持部材を備え、ミラー保持部材は、上下方向で位置調整可能となっており、上下方向におけるミラー保持部材の位置調整を行うことで、第２光路長方向における第１反射ミラーおよび第２反射ミラーの位置調整が行われることが好ましい。このように構成すると、第２光路長方向における第１反射ミラーの位置調整作業と第２反射ミラーの位置調整作業とを一緒に行うことが可能になるため、第２光路長方向における第１反射ミラーおよび第２反射ミラーの位置調整作業を簡素化することが可能になる。
【００２２】
本発明において、第１反射ミラーは、上下方向に対して所定の角度傾いている状態でミラー保持部材に固定され、第２反射ミラーは、上下方向に対する第２反射ミラーの傾斜角度が調整可能となるようにミラー保持部材に取り付けられていることが好ましい。このように構成すると、上下方向に対する第２反射ミラーの傾斜角度を調整することで、第２の光学系および結像光学系を通過して撮像素子に入射する光の上下方向の位置を調整することが可能になる。
【００２３】
本発明の情報読取装置は、たとえば、結像光学系の光軸を回転軸とする撮像素子の回転方向の位置調整と、結像光学系および撮像素子の上下方向の位置調整と、結像光学系の光軸方向における結像光学系の位置を調整することで第１の光学系および結像光学系を通過する光の焦点位置を調整する焦点調整とを行う第１調整工程と、第１調整工程後に、上下方向におけるミラー保持部材の位置調整を行って第２光路長方向における第１反射ミラーおよび第２反射ミラーの位置調整を行うとともに、上下方向に対する第２反射ミラーの傾斜角度の調整を行う第２調整工程とを備える情報読取装置の調整方法によって調整される。この場合には、第１調整工程後に第２調整工程を行っても、第１調整工程で調整された調整箇所にずれが生じない。したがって、情報記録媒体の上下の両面に記録された情報を１個の撮像素子で光学的に読み取ることが可能であっても、情報読取装置の調整作業を簡素化することが可能になる。
【発明の効果】
【００２４】
以上のように、本発明の情報読取装置では、情報記録媒体の両面に記録された情報を読み取る場合であっても、情報の読取操作を簡素化することおよびセキュリティ性を高めることが可能になるとともに、情報読取装置の構成を簡素化することが可能になる。また、本発明の情報読取装置の調整方法では、情報記録媒体の上下の両面に記録された情報を１個の撮像素子で光学的に読み取ることが可能であっても、情報読取装置の調整作業を簡素化することが可能になる。
【図面の簡単な説明】
【００２５】
【図１】本発明の実施の形態にかかる情報読取装置の斜視図である。
【図２】図１に示す情報読取装置の載置部材、カバー部材、第１の照明および第２の照明を抜き出して示す斜視図である。
【図３】図２に示す載置部材、カバー部材、第１の照明および第２の照明の正面図である。
【図４】図１に示す情報読取装置の内部の光路を説明するための側面図である。
【図５】図１に示す情報読取装置のシャッタ機構の動作を説明するための側面図である。
【図６】図５に示すシャッタ機構の構成を説明するための斜視図である。
【図７】図６のＥ−Ｅ断面の断面図である。
【図８】図６に示す固定フレーム、保持フレームおよび基板等の分解斜視図である。
【図９】図４に示す反射ミラーの取付構造を説明するための側面図である。
【図１０】図９に示す第２反射ミラーの取付部分の斜視図である。
【図１１】図１０に示す第２反射ミラーの取付部分の分解斜視図である。
【図１２】図１０に示す第２反射ミラーの取付部分の構成を説明するための側面図である。
【図１３】（Ａ）は、図４に示す第２の光学系および結像光学系を通過する光の焦点位置の調整原理を説明するための側面図であり、（Ｂ）は、図４に示す第２の光学系および結像光学系を通過する光の高さの調整原理を説明するための側面図である。
【発明を実施するための形態】
【００２６】
以下、図面を参照しながら、本発明の実施の形態を説明する。
【００２７】
（情報読取装置の概略構成）
図１は、本発明の実施の形態にかかる情報読取装置１の斜視図である。図２は、図１に示す情報読取装置１のガラス板３、カバー部材１５および照明４、５を抜き出して示す斜視図である。図３は、図２に示すガラス板３、カバー部材１５および照明４、５の正面図である。図４は、図１に示す情報読取装置１の内部の光路を説明するための側面図である。図５は、図１に示す情報読取装置１のシャッタ機構１４の動作を説明するための側面図である。
【００２８】
本形態の情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。情報読取装置１で読み取られる情報記録媒体２は、パスポート２ＡおよびＩＤカード２Ｂである（図３参照）。パスポート２ＡおよびＩＤカード２Ｂには、所有者の顔写真が印刷されている。
【００２９】
情報記録媒体２がパスポート２Ａである場合には、パスポート２Ａの表紙の裏面に記録された情報が情報読取装置１で光学的に読み取られる。情報記録媒体２がＩＤカード２Ｂである場合には、ＩＤカード２Ｂの両面に記録された情報が情報読取装置１で光学的に読み取られる。本形態のパスポート２Ａは、ＩＣパスポートであり、ＩＣチップおよび通信用のアンテナが内蔵されるＩＣページを備えている。また、ＩＤカード２Ｂは、非接触式のＩＣカードであり、ＩＤカード２Ｂには、ＩＣチップと通信用のアンテナとが内蔵されている。また、ＩＤカード２Ｂは、長方形状に形成されている。
【００３０】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００３１】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００３２】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、撮像素子８と、光学系６を通過した光を撮像素子８に結像させるとともに光学系７を通過した光を撮像素子８に結像させる結像光学系９と、これらの構成が収容される筐体１０とを備えている。撮像素子８は、二次元のＣＭＯＳイメージセンサまたはＣＣＤイメージセンサである。本形態のガラス板３は、載置部材であり、照明４は、第１の照明であり、照明５は、第２の照明である。また、光学系６は、第１の光学系であり、光学系７は、第２の光学系である。
【００３３】
また、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４とを備えている。ビームスプリッタ１３およびシャッタ機構１４は、筐体１０に収容されている。
【００３４】
さらに、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。本形態のカバー部材１５は、上面部１５ａと２個の側面部１５ｂと奥面部１５ｃとによって構成されている。カバー部材１５は、透明な樹脂で形成されている。たとえば、カバー部材１５は、透明なアクリル樹脂で形成されている。奥面部１５ｃには、たとえば、遮光性の塗料が塗布されており、奥面部１５ｃは、光を遮断する遮光部となっている。一方、上面部１５ａおよび側面部１５ｂは、透明になっている。
【００３５】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００３６】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。本形態では、ガラス板３とカバー部材１５とによって、前面が開口するとともに情報記録媒体２の少なくとも一部が配置される箱状の媒体配置部１６が形成されている。図１に示すように、媒体配置部１６の、前面の開口以外の部分は、筐体１０によって覆われている。
【００３７】
ガラス板３には、ＩＤカード２Ｂの全体が載置される。すなわち、媒体配置部１６には、ＩＤカード２Ｂの全体が配置される。また、ガラス板３には、開いた状態のパスポート２Ａの背表紙がガラス板３の前端側に配置されるように、パスポート２Ａの一部が載置される。すなわち、媒体配置部１６には、パスポート２Ａの一部が配置される。また、パスポート２Ａは、個人情報が記録された表紙の裏面が下側を向くようにガラス板３に載置される。本形態では、ガラス板３に載置されたＩＤカード２Ｂの前後方向の幅は、パスポート２Ａの、ガラス板３に載置された部分の前後方向の幅よりも狭くなっている。また、ガラス板３に載置されたＩＤカード２Ｂの左右方向の幅は、パスポート２Ａの左右方向の幅よりも狭くなっている。
【００３８】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。なお、パスポート２Ａの仕様によっては、ガラス板３の下側に配置されるアンテナと、パスポート２Ａに内蔵されるアンテナとの通信が行われることもある。
【００３９】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００４０】
（照明の構成および配置）
照明４、５は、複数の光源が実装される基板２４と、光源から射出された光が入射する照明レンズ２５とを備えている。本形態の照明４、５は、光源として、白色光を射出する複数の白色ＬＥＤと、赤外光を射出する複数の赤外線ＬＥＤと、紫外光を射出する複数の紫外線ＬＥＤとを備えている。基板２４は、細長い長方形の平板状に形成されている。照明レンズ２５は、細長い略直方体状に形成されている。この照明レンズ２５は、基板２４の、光源が実装された面に固定されている。
【００４１】
照明レンズ２５には、白色ＬＥＤが射出する白色光と赤外線ＬＥＤが射出する赤外光と紫外線ＬＥＤが射出する紫外光とが入射し、照明レンズ２５を透過した光が情報記録媒体２に照射される。なお、照明４、５から照射される赤外光は、ＯＣＲ文字等の機械読取式の印刷情報の読取りに用いられる。また、照明４、５から照射される紫外光は、情報記録媒体２の真偽判定に必要な印刷情報の読取りに用いられる。具体的には、照明４、５から照射される紫外光は、目に見えない蛍光発色インクによる印刷情報の読取りに用いられる。
【００４２】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、照明４から射出されガラス板３を透過した光が、ガラス板３に載置される情報記録媒体２の下面に照射される。
【００４３】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、照明５から射出され側面部１５ｂを透過した光が、ガラス板３に載置される情報記録媒体２の上面に照射される。
【００４４】
（光学系、結像光学系、ビームスプリッタ、撮像素子の構成および配置）
光学系６は、長方形の平板状に形成された３個の反射ミラー（全反射ミラー）３０、３１、３２を備えている。反射ミラー３０は、反射ミラー３１よりも大きくなっており、反射ミラー３１は、反射ミラー３２よりも大きくなっている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体配置部１６の後ろ側に配置されている。また、反射ミラー３２は、反射ミラー３１の上側に配置されている。
【００４５】
反射ミラー３０〜３２は、上下方向に対して所定の角度傾いた状態で配置されている。具体的には、図４に示すように、反射ミラー３０〜３２は、左右方向から見たときに上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。
【００４６】
反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。反射ミラー３０では、情報記録媒体２の下面で反射されて下側へ向かう光の光軸が後ろ側に折り曲げられる。また、反射ミラー３１では、反射ミラー３０で反射されて後ろ側へ向かう光の光軸が上側に折り曲げられ、反射ミラー３２では、反射ミラー３１で反射されて上側に向かう光の光軸が後ろ側に折り曲げられる。
【００４７】
光学系７は、長方形の平板状に形成された２個の反射ミラー（全反射ミラー）３３、３４を備えている。反射ミラー３３は、反射ミラー３４よりも大きくなっている。反射ミラー３３、３４は、ガラス板３に載置される情報記録媒体２よりも上側に配置されている。具体的には、反射ミラー３３は、ガラス板３に載置されるＩＤカード２Ｂの上側に配置されている。また、反射ミラー３４は、反射ミラー３３と略同じ高さに配置されるとともに、ガラス板３よりも後ろ側（すなわち、媒体配置部１６よりも後ろ側）に配置されている。また、反射ミラー３３、３４は、カバー部材１５の上面部１５ａよりも上側（すなわち、媒体配置部１６よりも上側）に配置されている。
【００４８】
反射ミラー３３、３４は、上下方向に対して所定の角度傾いた状態で配置されている。具体的には、図４に示すように、反射ミラー３３、３４は、左右方向から見たときに上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３、３４の上下方向に対する傾斜角度は、略４５°となっている。
【００４９】
反射ミラー３３には、ガラス板３に載置された情報記録媒体２の上面で反射された光が入射する。反射ミラー３４には、反射ミラー３３で反射された光が入射する。反射ミラー３３では、情報記録媒体２の上面で反射されて上側へ向かう光の光軸が後ろ側に折り曲げられ、反射ミラー３４では、反射ミラー３３で反射されて後ろ側へ向かう光の光軸が下側に折り曲げられる。本形態の反射ミラー３３は、第１反射ミラーであり、反射ミラー３４は、第２反射ミラーである。
【００５０】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。撮像素子８は、撮像素子８の撮像面が前側を向くように配置されている。
【００５１】
ビームスプリッタ１３は、長方形の平板状に形成されている。本形態のビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、かつ、結像レンズ３５の前側に配置されている。また、ビームスプリッタ１３は、反射ミラー３４の下側に配置されている。
【００５２】
ビームスプリッタ１３は、上下方向に対して所定の角度傾いた状態で配置されている。具体的には、図４に示すように、ビームスプリッタ１３は、左右方向から見たときに上下方向に対して所定の角度傾いた状態で配置されている。ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００５３】
本形態では、ガラス板３に載置された情報記録媒体２の下面で反射された光の、撮像素子８までの光路長と、ガラス板３に載置された情報記録媒体２の上面で反射された光の、撮像素子８までの光路長とが略等しくなっている。
【００５４】
（シャッタ機構の構成）
図６は、図５に示すシャッタ機構１４の構成を説明するための斜視図である。
【００５５】
シャッタ機構１４は、光学系６とビームスプリッタ１３との間の光路（すなわち、反射ミラー３２とビームスプリッタ１３との間の光路）を遮る第１遮光位置３７Ａ（図５（Ｂ）参照）と、光学系７とビームスプリッタ１３との間の光路（すなわち、反射ミラー３４とビームスプリッタ１３との間の光路）を遮る第２遮光位置３７Ｂ（図５（Ａ）参照）との間で移動可能なシャッタ３７を備えている。また、シャッタ機構１４は、第１遮光位置３７Ａと第２遮光位置３７Ｂとの間でシャッタ３７を移動させるシャッタ駆動機構３８を備えている。
【００５６】
シャッタ駆動機構３８は、図６に示すように、シャッタ３７が固定されるレバー部材３９と、レバー部材３９を回動させるソレノイド４０と、レバー部材３９の回動方向の一方側へレバー部材３９を付勢する引張りコイルバネ４１とを備えている。ソレノイド４０は、反射ミラー３２等が固定される後述の固定フレーム４５に固定されている。レバー部材３９の下端部は、固定フレーム４５に回動可能に保持されている。レバー部材３９は、左右方向を回動の軸方向として回動可能となっている。シャッタ３７は、レバー部材３９の上端部に固定されている。
【００５７】
シャッタ３７は、反射ミラー３２、３４とビームスプリッタ１３との間の光路を遮る遮光部３７ａを備えている。遮光部３７ａは、左右方向から見たときの形状が円弧状となる曲板状に形成されている。左右方向から見たときの遮光部３７ａの曲率中心は、レバー部材３９の回動中心と略一致している。シャッタ３７は、引張りコイルバネ４１の付勢力によって第２遮光位置３７Ｂに向かって付勢されている。シャッタ３７は、ソレノイド４０が通電状態にないときには、第２遮光位置３７Ｂに配置されており、ソレノイド４０が通電状態になると、第１遮光位置３７Ａに移動する。
【００５８】
（光学系、結像光学系、ビームスプリッタ、撮像素子の取付構造）
図７は、図６のＥ−Ｅ断面の断面図である。図８は、図６に示す固定フレーム４５、保持フレーム４８および基板５０等の分解斜視図である。図９は、図４に示す反射ミラー３０、３１、３３、３４の取付構造を説明するための側面図である。図１０は、図９に示す反射ミラー３４の取付部分の斜視図である。図１１は、図１０に示す反射ミラー３４の取付部分の分解斜視図である。図１２は、図１０に示す反射ミラー３４の取付部分の構成を説明するための側面図である。
【００５９】
情報読取装置１は、図６〜図８に示すように、反射ミラー３２およびビームスプリッタ１３が固定される固定フレーム４５と、結像レンズ３５が固定されるレンズバレル４６と、レンズバレル４６を保持するバレルホルダ４７と、バレルホルダ４７を保持する保持フレーム４８と、バレルホルダ４７に対してレンズバレル４６を回転させるための調整リング４９と、撮像素子８が実装される基板５０とを備えている。また、情報読取装置１は、図９に示すように、反射ミラー３０、３１を保持する下フレーム５２と、反射ミラー３３、３４を保持するミラー保持部材としての上フレーム５３とを備えている。これらの構成は、筐体１０に収容されている。
【００６０】
固定フレーム４５は、カバー部材１５の後ろ側に配置されている。固定フレーム４５は、直接あるいは所定の部材を介して筐体１０に固定されている。固定フレーム４５には、反射ミラー３２およびビームスプリッタ１３が接着で固定されている。また、固定フレーム４５には、紫外線カットフィルター５５が接着で固定されている。紫外線カットフィルター５５は、ビームスプリッタ１３の後ろ側に配置されている。固定フレーム４５の後端側には、保持フレーム４８を固定するための２個のネジ穴４５ａが形成されている（図８参照）。また、固定フレーム４５の後端側には、保持フレーム４８に形成される後述のガイド溝４８ｅに係合する２個の凸部４５ｂが形成されている。
【００６１】
レンズバレル４６は、円筒状に形成されている。レンズバレル４６は、レンズバレル４６の軸方向と前後方向とが一致するように配置されている。結像レンズ３５は、レンズバレル４６の内周面に固定されている。レンズバレル４６の外周面には、オネジが形成されている。
【００６２】
バレルホルダ４７は、筒状に形成されている。また、バレルホルダ４７は、レンズバレル４６を保持するバレル保持部４７ａと、基板５０が固定される基板固定部４７ｂとから構成されている。バレル保持部４７ａは、円筒状に形成されている。バレル保持部４７ａは、バレル保持部４７ａの軸方向と前後方向とが一致するように配置されている。バレル保持部４７ａの内周面には、レンズバレル４６の外周面のオネジが螺合するメネジが形成されている。基板固定部４７ｂには、基板５０を固定するための２個のネジ穴４７ｃが形成されている（図８参照）。
【００６３】
保持フレーム４８は、筒状に形成されている。保持フレーム４８は、保持フレーム４８の軸方向と前後方向とが一致するように配置されている。図７に示すように、保持フレーム４８の後端部の内周側は、基板固定部４７ｂが収容される収容部４８ａとなっている。保持フレーム４８の内周側の、収容部４８ａよりも前側の部分は、調整リング４９の後端側部分およびバレル保持部４７ａが収容される収容部４８ｂとなっている。収容部４８ｂの内周面は、円筒面となっている。収容部４８ｂの内径は、バレル保持部４７ａの外径とほぼ等しくなっている。
【００６４】
保持フレーム４８の後端側には、基板５０を固定するための２個のネジ穴４８ｃが形成されている（図８参照）。また、図８に示すように、保持フレーム４８の前端側には、上下方向を長手方向とする２個の長穴４８ｄが形成されている。長穴４８ｄは、前後方向で貫通するように形成されている。長穴４８ｄには、固定フレーム４５に保持フレーム４８を固定するネジ５６が挿通されている。また、保持フレーム４８の前端側には、上下方向を長手方向とする２個のガイド溝４８ｅが形成されている（図７参照）。ガイド溝４８ｅには、固定フレーム４５の凸部４５ｂが係合している。
【００６５】
調整リング４９は、段付きの円筒状に形成されており、大径部４９ａと、大径部４９ａよりも内径および外径の小さい小径部４９ｂとから構成されている。調整リング４９は、調整リング４９の軸方向と前後方向とが一致するように配置されている。小径部４９ｂは、調整リング４９の後端側部分を構成している。大径部４９ａの後端側部分および小径部４９ｂは、保持フレーム４８の収容部４８ｂに収容されている。大径部４９ａの外径は、収容部４８ｂの内径とほぼ等しくなっている。
【００６６】
大径部４９ａの前端側の外周面には、歯車４９ｃが形成されている。また、調整リング４９は、圧縮コイルバネ５７によって後ろ側へ付勢されている。小径部４９ｂの後端部には、レンズバレル４６の前端面に形成される係合凹部に係合する係合突起が形成されている。係合凹部と係合突起との係合状態は、圧縮コイルバネ５７の付勢力によって維持されている。本形態では、歯車４９ｃを回転させて調整リング４９を回転させると、レンズバレル４６がバレルホルダ４７に対して回転しながら前後方向へ移動する。
【００６７】
基板５０は、略正方形の平板状に形成されている。基板５０は、基板５０の厚さ方向と前後方向とが一致するように配置されている。撮像素子８は、基板５０の前面に実装されている。図８に示すように、基板５０には、前後方向に貫通する２個の長穴５０ａが形成されている。長穴５０ａは、前後方向から見たときに、撮像素子８の中心を曲率中心とする円弧状に形成されている。あるいは、長穴５０ａの長手方向は、前後方向から見たときに、撮像素子８の中心を曲率中心とする仮想円の接線方向となっている。また、基板５０には、前後方向に貫通する２個の貫通穴５０ｂが形成されている。
【００６８】
長穴５０ａには、保持フレーム４８に基板５０を固定するネジ５８が挿通されている。貫通穴５０ｂには、バレルホルダ４７に基板５０を固定するネジ５９が挿通されている。本形態では、撮像素子８が実装された基板５０がネジ５９によってバレルホルダ４７に固定された後、バレルホルダ４７付きの基板５０がネジ５８によって保持フレーム４８に固定される。基板５０の前面は、バレルホルダ４７の後端面と保持フレーム４８の後端面とに接触している。
【００６９】
下フレーム５２は、筐体１０の内部に配置される側板６１に固定されている。側板６１は、筐体１０の内部の左右の両端側のそれぞれに配置されており、筐体１０の内部には、２枚の側板６１が配置されている。側板６１と筐体１０とは互いに固定されている。反射ミラー３０、３１は、下フレーム５２に固定されている。このように、反射ミラー３０、３１は、下フレーム５２および側板６１を介して筺体１０に固定されており、ガラス板３に載置された情報記録媒体２の下面で反射され撮像素子８に向かう光の光路長方向である第１光路長方向において、反射ミラー３０、３１は固定されている。
【００７０】
上フレーム５３は、２枚の側板６１に固定されている。また、上フレーム５３は、図示を省略するネジによって側板６１に固定されている。上フレーム５３は、側板６１に対して上下方向で位置調整可能となっている。具体的には、図９に示すように、上フレーム５３を側板６１に固定するための複数のネジ穴５３ａが上フレーム５３に形成され、ネジ穴５３ａに螺合するネジが挿通される複数の長穴６１ａが側板６１に形成されている。長穴６１ａは、上下方向を長手方向とする長穴となっている。
【００７１】
図９に示すように、上フレーム５３には、ガイド軸６２が固定され、側板６１には、ガイド軸６３が固定されている。ガイド軸６２、６３は、ガイド軸６２、６３の軸方向と左右方向とが一致するように配置されている。側板６１には、ガイド軸６２が係合するガイド溝６１ｂが形成され、上フレーム５３には、ガイド軸６３が係合するガイド溝５３ｂが形成されている。ガイド溝５３ｂ、６１ｂは、上下方向を長手方向とするＵ溝状に形成されている。ガイド軸６２、６３およびガイド溝５３ｂ、６１ｂは、側板６１に対する上フレーム５３の上下方向の位置を調整するときに、上フレーム５３を上下方向に案内する機能を果たしている。
【００７２】
なお、上フレーム５３は、反射ミラー３３を保持する第１フレーム６４と、反射ミラー３４を保持する第２フレーム６５と、第１フレーム６４および第２フレーム６５が固定される共通フレーム６６とから構成されている。側板６１には、共通フレーム６６が固定されている。
【００７３】
反射ミラー３３は、上フレーム５３に固定されている。すなわち、反射ミラー３３は、上下方向に対して所定の角度傾いている状態で上フレーム５３に固定されている。具体的には、反射ミラー３３は、上下方向に対して４５°傾いている状態で第１フレーム６４に直接、固定されている。
【００７４】
反射ミラー３４は、ミラー固定フレーム６８に固定されている。ミラー固定フレーム６８は、上フレーム５３に取り付けられている。具体的には、ミラー固定フレーム６８は、第２フレーム６５に取り付けられている。第２フレーム６５は、上下方向に対して略４５°傾いた傾斜部６５ａを備えている。傾斜部６５ａは、平板状に形成されており、後ろ側に向かうにしたがって下側に向かうように傾斜している。傾斜部６５ａには、ミラー固定フレーム６８を構成する後述のミラー固定部６８ａが配置される貫通穴６５ｂが形成されている（図１１参照）。
【００７５】
また、第２フレーム６５は、ミラー固定フレーム６８が固定されるフレーム固定部６５ｃを備えている。フレーム固定部６５ｃは、傾斜部６５ａから斜め上後ろ側に向かって立ち上がるように形成されている。また、フレーム固定部６５ｃは、平板状に形成されており、フレーム固定部６５ｃの厚さ方向と左右方向とが一致するように配置されている。フレーム固定部６５ｃには、ミラー固定フレーム６８を固定するためのネジ穴６５ｄが形成されている。ネジ穴６５ｄは、フレーム固定部６５ｃの前上端側と後ろ下端側との２箇所に形成されている。フレーム固定部６５ｃの後ろ下端には、斜め上前側に向かって切り欠かれた切欠き部６５ｅが形成されている。切欠き部６５ｅの開口部分（後ろ下端部分）の幅は、狭くなっている。
【００７６】
ミラー固定フレーム６８は、反射ミラー３４が固定されるミラー固定部６８ａと、フレーム固定部６５ｃに固定される被固定部６８ｂとを備えている。ミラー固定部６８ａは、平板状に形成されるとともに略長方形の枠状に形成されている。ミラー固定部６８ａは、第２フレーム６５の貫通穴６５ｂの中に配置されている。被固定部６８ｂは、ミラー固定部６８ａの前上端と後ろ下端との２箇所に形成されている。また、被固定部６８ｂは、ミラー固定部６８ａから斜め上後ろ側に向かって立ち上がるように形成されている。被固定部６８ｂは、平板状に形成されており、被固定部６８ｂの厚さ方向と左右方向とが一致するように配置されている。
【００７７】
反射ミラー３４は、ミラー固定部６８ａの上面に固定されている。ミラー固定部６８ａには、板バネ６９がリベット７０によって固定されている。板バネ６９は、ミラー固定部６８ａの左右の両端側の２箇所に固定されている。また、板バネ６９は、前後方向および上下方向におけるミラー固定部６８ａの略中心位置に固定されている。板バネ６９は、反射ミラー３４よりも左右方向の外側に配置されており、ミラー固定部６８ａの左右の両側に広がるようにミラー固定部６８ａの上面に固定されている。また、板バネ６９は、リベット７１によって傾斜部６５ａの上面に固定されている。左右方向から見ると、リベット７０とリベット７１とは重なっている。また、図１２に示すように、左右方向から見ると、リベット７１による板バネ６９の固定位置は、反射ミラー３４に入射する光の光軸の入射位置とほぼ一致している。
【００７８】
被固定部６８ｂには、前後方向に貫通する長穴６８ｃが形成されている。長穴６８ｃは、左右方向から見たときに、リベット７０による板バネ６９の固定位置を曲率中心とする円弧状に形成されている。あるいは、長穴６８ｃの長手方向は、左右方向から見たときに、リベット７０による板バネ６９の固定位置の中心を曲率中心とする仮想円の接線方向となっている。後ろ下端側に配置される被固定部６８ｂの後ろ下端には、斜め上前側に向かって切り欠かれた切欠き部６８ｄが形成されている。
【００７９】
ミラー固定フレーム６８は、ネジ７２によって第２フレーム６５に固定されている。ネジ７２は、長穴６８ｃに挿通されるとともに、ネジ穴６５ｄに螺合している。そのため、本形態では、ネジ７２を緩めた状態で板バネ６９を変形させることで、リベット７１による板バネ６９の固定部分を中心にして、第２フレーム６５に対するミラー固定フレーム６８の傾きを調整することが可能になっている。すなわち、ミラー固定フレーム６８に固定される反射ミラー３４は、図１２に示すように、左右方向から見たときの上下方向に対する反射ミラー３４の傾斜角度が調整可能となるように上フレーム５３に取り付けられている。なお、本形態では、ネジ７２をわずかに緩めた状態で、切欠き部６５ｅ、６８ｄに、マイナスドライバの先端等を入れて抉ることで、上下方向に対する反射ミラー３４の傾斜角度を微調整することが可能となっている。
【００８０】
（情報読取装置の調整方法）
図１３（Ａ）は、図４に示す光学系７および結像光学系９を通過する光の焦点位置の調整原理を説明するための側面図であり、図１３（Ｂ）は、図４に示す光学系７および結像光学系９を通過する光の高さの調整原理を説明するための側面図である。
【００８１】
基板５０には、上述の長穴５０ａが形成されており、基板５０は、長穴５０ａに挿通されるネジ５８によって保持フレーム４８に固定されている。そのため、撮像素子８が実装されるとともにバレルホルダ４７が固定された基板５０を、ネジ５９を緩めた状態で、結像光学系９の光軸（すなわち、結像レンズ３５の光軸）を回転軸にして回転させることで、結像光学系９の光軸を回転軸とする撮像素子８の回転方向の位置が調整される。撮像素子８の回転方向の位置調整を行う際には、バレルホルダ４７のバレル保持部４７ａの外周面と、保持フレーム４８の収容部４８ｂの内周面とによって、撮像素子８の回転方向へ基板５０が案内される。
【００８２】
また、保持フレーム４８には、上述の長穴４８ｄが形成されており、保持フレーム４８は、長穴４８ｄに挿通されるネジ５６によって固定フレーム４５に固定されている。そのため、ネジ５６を緩めた状態で、基板５０等が固定された保持フレーム４８を上下方向に移動させることで、結像光学系９（すなわち、結像レンズ３５）および撮像素子８の上下方向の位置が調整される。結像光学系９および撮像素子８の上下方向の位置調整を行う際には、固定フレーム４５の凸部４５ｂと保持フレーム４８のガイド溝４８ｅとによって、上下方向へ保持フレーム４８が案内される。
【００８３】
なお、図７に示すように、上側に配置される凸部４５ｂの上端と、上側に配置されるガイド溝４８ｅの上端との間、および、下側に配置される凸部４５ｂの下端と、下側に配置されるガイド溝４８ｅの下端との間には、隙間が形成されている。本形態では、ネジ５６をわずかに緩めた状態で、この隙間にマイナスドライバの先端等を入れて抉ることで、結像光学系９および撮像素子８の上下方向の位置を微調整することが可能となっている。
【００８４】
さらに、上述のように、歯車４９ｃを回転させて調整リング４９を回転させると、レンズバレル４６がバレルホルダ４７に対して回転しながら前後方向へ移動するため、歯車４９ｃを回転させると、結像光学系９の光軸方向における結像光学系９の位置（具体的には、結像レンズ３５の位置）が変わる。したがって、歯車４９ｃを回転させて結像光学系９の光軸方向における結像光学系９の位置を調整することで、結像光学系９を通過する光の焦点位置が調整される。
【００８５】
また、上述のように、反射ミラー３３、３４が取り付けられる上フレーム５３は、上下方向で位置調整可能となっている。上フレーム５３を上下方向で位置調整すると、図１３（Ａ）に示すように、ガラス板３に載置された情報記録媒体２の上面で反射され撮像素子８に向かう光の光路長が変わり、光学系７および結像光学系９を通過する光の焦点位置が変わる。すなわち、反射ミラー３３、３４は、ガラス板３に載置された情報記録媒体２の上面で反射され撮像素子８に向かう光の光路長方向である第２光路長方向において位置調整可能となっており、ネジ穴５３ａに螺合するネジを緩めた状態で、上下方向における上フレーム５３の位置調整を行うことで、第２光路長方向における反射ミラー３３、３４の位置調整が行われる。また、第２光路長方向における反射ミラー３３、３４の位置調整を行うことで、光学系７および結像光学系９を通過する光の焦点位置が調整される。
【００８６】
また、上述のように、反射ミラー３４は、上下方向に対する反射ミラー３４の傾斜角度が調整可能となるように上フレーム５３に取り付けられている。上下方向に対する反射ミラー３４の傾斜角度が変わると、図１３（Ｂ）に示すように、光学系７および結像光学系９を通過して撮像素子８に到達する光の上下方向の位置（撮像素子８に結像される像の上下方向の位置）が変わる。そのため、上下方向に対する反射ミラー３４の傾斜角度を調整することで、光学系７および結像光学系９を通過して撮像素子８に到達する光の上下方向の位置が調整される。
【００８７】
なお、反射ミラー３４の傾斜角度を調整するときには、リベット７１による板バネ６９の固定位置を中心にして反射ミラー３４が回動する。また、上述のように、左右方向から見たときに、リベット７１による板バネ６９の固定位置は、反射ミラー３４に入射する光の光軸の入射位置とほぼ一致している。そのため、反射ミラー３４の傾斜角度を調整しても、ガラス板３に載置された情報記録媒体２の上面で反射され撮像素子８に向かう光の光路長はほとんど変わらない。
【００８８】
情報読取装置１の調整は、以下の手順で行われる。まず、結像光学系９の光軸を回転軸とする撮像素子８の回転方向の位置調整と、結像光学系９および撮像素子８の上下方向の位置調整と、光学系６および結像光学系９を通過する光の焦点位置を調整する焦点調整とを行う（第１調整工程）。第１調整工程では、シャッタ３７が第２遮光位置３７Ｂに配置された状態で、ガラス板３に載置された情報記録媒体２の下面に照明４から光を照射する。また、第１調整工程では、歯車４９ｃを回転させることで、焦点調整を行う。
【００８９】
第１調整工程が終わると、上下方向における上フレーム５３の位置調整を行って第２光路長方向における反射ミラー３３、３４の位置調整を行うとともに、上下方向に対する反射ミラー３４の傾斜角度の調整を行う（第２調整工程）。第２調整工程では、たとえば、第２光路長方向における反射ミラー３３、３４の位置調整を行った後、上下方向に対する反射ミラー３４の傾斜角度を調整する。すなわち、光学系７および結像光学系９を通過する光の焦点位置を調整した後に、光学系７および結像光学系９を通過して撮像素子８に到達する光の上下方向の位置を調整する。
【００９０】
（情報読取装置の情報読取動作）
情報読取装置１でパスポート２Ａに記録された情報が読み取られる場合、パスポート２Ａは、個人情報が記録された表紙の裏面が下側を向くようにガラス板３に載置される。パスポート２Ａがガラス板３に載置されると、照明４が光を照射して、パスポート２Ａに記録された情報が光学的に読み取られる。このときには、シャッタ３７は、第２遮光位置３７Ｂに配置されている。また、照明５は光を照射しない。
【００９１】
一方、情報読取装置１でＩＤカード２Ｂに記録された情報が読み取られる場合、ＩＤカード２Ｂがガラス板３に載置されると、まず、照明４が光を照射して、ＩＤカード２Ｂの下面に記録された情報が光学的に読み取られる。このときには、シャッタ３７は第２遮光位置３７Ｂに配置されており、また、照明５は光を照射しない。ＩＤカード２Ｂの下面に記録された情報が読み取られると、シャッタ３７は第１遮光位置３７Ａに移動するとともに、照明５が光を照射して、ＩＤカード２Ｂの上面に記録された情報が光学的に読み取られる。このときには、照明４は光を照射しない。
【００９２】
なお、ＩＤカード２Ｂに記録された情報が読み取られる場合、ＩＤカード２Ｂの上面に記録された情報が読み取られた後に、ＩＤカード２Ｂの下面に記録された情報が読み取られても良い。また、ＩＤカード２Ｂに記録された情報が読み取られる場合には、たとえば、ＩＤカード２Ｂの下面に記録された情報と上面に記録された情報とが数１０ミリ秒で読み取られる。
【００９３】
（本形態の主な効果）
以上説明したように、本形態では、情報読取装置１は、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るため光学系６と、ガラス板３に載置された情報記録媒体２の上面に記録された情報を読み取るための光学系７と、光学系６を通過した光を撮像素子８に結像させるとともに光学系８を通過した光を撮像素子８に結像させる結像光学系９とを備えている。
【００９４】
そのため、本形態では、ＩＤカード２Ｂをガラス板３に載置したままの状態で、ＩＤカード２Ｂの上下の両面に記録された情報を光学的に読み取ることが可能になる。したがって、本形態では、ＩＤカード２Ｂの両面に記録された情報を読み取る場合であっても、情報の読取操作を簡素化することが可能になる。また、ＩＤカード２Ｂをガラス板３に載置したままの状態で、ＩＤカード２Ｂの上下の両面に記録された情報を光学的に読み取ることが可能になるため、たとえば、ＩＤカード２Ｂの一方の面の情報を撮像素子８で読み取った後に他人のＩＤカード２Ｂの他方の面の情報を撮像素子８で読み取るといった不正行為を防止することが可能になる。したがって、本形態では、ＩＤカード２Ｂの両面に記録された情報を読み取る場合であっても、セキュリティ性を高めることが可能になる。
【００９５】
また、本形態では、１個の撮像素子８を用いて、ＩＤカード２Ｂの上下の両面に記録された情報を光学的に読み取ることが可能になるため、ＩＤカード２Ｂの上面に記録された情報を読み取る撮像素子と、ＩＤカード２Ｂの下面に記録された情報を読み取る撮像素子とが個別に設けられている場合と比較して、情報読取装置１の構成を簡素化することが可能になる。
【００９６】
本形態では、情報読取装置１は、光学系６を通過した光の一部を結像光学系９に向かって透過させるとともに、光学系７を通過した光の一部を結像光学系９に向かって反射するビームスプリッタ１３を備えており、固定フレーム４５に固定されたビームスプリッタ１３を用いて、光学系６、７を通過した光を結像光学系９に導くことが可能になっている。そのため、本形態では、たとえば、光学系６を通過した光を結像光学系９に向かって通過させる位置と、光学系７を通過した光を結像光学系９に向かって反射する位置とに反射ミラーを回動させて、光学系６、７を通過した光を結像光学系９に導く場合と比較して、結像光学系９に向かう光の光路を安定させることが可能になる。したがって、本形態では、情報記録媒体２に記録された情報の読取精度を高めることが可能になる。
【００９７】
本形態では、ガラス板３に載置された情報記録媒体２の下面に記録された情報を読み取るときには、照明５が光を照射せずに照明４が光を照射し、ガラス板３に載置された情報記録媒体２の上面に記録された情報を読み取るときには、照明４が光を照射せずに照明５が光を照射している。そのため、本形態では、情報記録媒体２の下面に記録された情報を読み取るときに、照明５から照射されて情報記録媒体２の上面で反射される光の影響を排除することが可能になるとともに、情報記録媒体２の上面に記録された情報を読み取るときに、照明４から照射されて情報記録媒体２の下面で反射される光の影響を排除することが可能になる。したがって、本形態では、情報記録媒体２に記録された情報の読取精度をより高めることが可能になる。
【００９８】
本形態では、情報読取装置１は、ガラス板３に載置された情報記録媒体２の下面に記録された情報を読み取るときに光学系７からビームスプリッタ１３に入射する光を遮るとともに、ガラス板３に載置された情報記録媒体２の上面に記録された情報を読み取るときに光学系６からビームスプリッタ１３に入射する光を遮るシャッタ機構１４を備えている。そのため、本形態では、情報記録媒体２の下面に記録された情報を読み取るときに、情報記録媒体２の上面で反射された外乱光の影響を排除することが可能になるとともに、情報記録媒体２の上面に記録された情報を読み取るときに、情報記録媒体２の下面で反射された外乱光の影響を排除することが可能になる。したがって、本形態では、情報記録媒体２に記録された情報の読取精度をより高めることが可能になる。
【００９９】
本形態では、シャッタ機構１４は、光学系６とビームスプリッタ１３との間の光路を遮る第１遮光位置３７Ａと光学系７とビームスプリッタ１３との間の光路を遮る第２遮光位置３７Ｂとの間で移動可能なシャッタ３７と、第１遮光位置３７Ａと第２遮光位置３７Ｂとの間でシャッタ３７を移動させるシャッタ駆動機構３８とを備えている。そのため、本形態では、光学系６とビームスプリッタ１３との間の光路を遮るシャッタと、光学系７とビームスプリッタ１３との間の光路を遮るシャッタとが個別に設けられている場合と比較して、情報読取装置１の構成を簡素化することが可能になる。
【０１００】
本形態では、ガラス板３に載置された情報記録媒体２の下面で反射された光の、撮像素子８までの光路長と、ガラス板３に載置された情報記録媒体２の上面で反射された光の、撮像素子８までの光路長とが略等しくなっている。そのため、本形態では、ガラス板３に載置された情報記録媒体２の下面の情報と、ガラス板３に載置された情報記録媒体２の上面の情報とを同じ倍率で撮像することが可能になる。
【０１０１】
本形態では、情報読取装置１は、情報読取装置１の前面側かつ上面側に配置されるカメラ１８を備えている。そのため、本形態では、たとえば、情報記録媒体２の読取操作を行う情報記録媒体２の所有者の顔写真を撮影することが可能になる。したがって、たとえば、撮像素子８で読み取られた情報記録媒体２の顔写真情報と、カメラ１８で撮影された顔写真とを照合して、情報記録媒体２の所持者が本人であるのか否かを判別することが可能になる。また、たとえば、バーコード等が表示された携帯端末を操作者がカメラ１８にかざすことで、携帯端末に表示された情報を読み取ることが可能になる。
【０１０２】
本形態では、反射ミラー３３、３４は、ガラス板３に載置された情報記録媒体２の上面で反射され撮像素子８に向かう光の光路長方向である第２光路長方向において位置調整可能となっている。そのため、本形態では、情報記録媒体２の上下の両面に記録された情報を１個の撮像素子８で光学的に読み取ることが可能であっても、情報記録媒体２の下面で反射されて撮像素子８に向かう光の光路長と、情報記録媒体２の上面で反射されて撮像素子に向かう光の光路長とを適切に設定することが可能になる。
【０１０３】
すなわち、本形態では、情報記録媒体２の上下の両面に記録された情報を１個の撮像素子８で光学的に読み取ることが可能であっても、光学系６および結像光学系９を通過する光の焦点位置と、光学系７および結像光学系９を通過する光の焦点位置とを適切に設定することが可能になる。したがって、本形態では、情報記録媒体２の上下の両面に記録された情報を１個の撮像素子８で光学的に読み取ることが可能であっても、情報記録媒体２の上下の両面に記録された情報の読取精度を高めることが可能になる。
【０１０４】
一方、本形態では、反射ミラー３０、３１は、ガラス板３に載置された情報記録媒体２の下面で反射され撮像素子８に向かう光の光路長方向である第１光路長方向において固定されており、反射ミラー３０、３１の、第１光路長方向での位置調整作業は不要である。また、本形態では、第１調整工程において、第１光路長方向で固定された反射ミラー３０、３１を基準にして、結像光学系９の光軸を回転軸とする撮像素子８の回転方向の位置調整と、結像光学系９および撮像素子８の上下方向の位置調整と、光学系６および結像光学系９を通過する光の焦点位置を調整する焦点調整とを行った後に、第２調整工程において、反射ミラー３３、３４を上下方向に移動させることで光学系７および結像光学系９を通過する光の焦点位置を調整するとともに、上下方向に対する反射ミラー３４の傾斜角度を調整することで光学系７および結像光学系９を通過して撮像素子８に到達する光の上下方向の位置を調整している。
【０１０５】
そのため、本形態では、第１調整工程後に第２調整工程を行っても、第１調整工程で調整された調整箇所にずれが生じない。したがって、本形態では、情報記録媒体２の上下の両面に記録された情報を１個の撮像素子８で光学的に読み取ることが可能であっても、情報読取装置１の調整作業を簡素化することが可能になる。
【０１０６】
また、本形態では、上下方向における上フレーム５３の位置調整を行うことで、第２光路長方向における反射ミラー３３、３４の位置調整が行われているため（すなわち、光学系７および結像光学系９を通過する光の焦点位置の調整が行われているため）、第２光路長方向における反射ミラー３３の位置調整作業と反射ミラー３４の位置調整作業とを一緒に行うことが可能になる。したがって、本形態では、光学系７および結像光学系９を通過する光の焦点位置の調整作業を簡素化することが可能になる。
【０１０７】
（他の実施の形態）
上述した形態は、本発明の好適な形態の一例ではあるが、これに限定されるものではなく本発明の要旨を変更しない範囲において種々変形実施が可能である。
【０１０８】
上述した形態において、光学系６からビームスプリッタ１３に入射する光を遮るシャッタと、光学系７からビームスプリッタ１３に入射する光を遮るシャッタとが個別に設けられていても良い。この場合には、反射ミラー３０と反射ミラー３１との間の光路、または、反射ミラー３１と反射ミラー３２との間の光路にシャッタが配置されても良いし、反射ミラー３３と反射ミラー３４との間の光路にシャッタが配置されても良い。
【０１０９】
また、上述した形態において、外乱光の影響を受けにくい場所に情報読取装置１が設置されるのであれば、情報読取装置１は、シャッタ機構を備えていなくても良い。また、上述した形態において、ガラス板３に載置された情報記録媒体２の下面に記録された情報を読み取るときに、照明５が光を照射しても良いし、ガラス板３に載置された情報記録媒体２の上面に記録された情報を読み取るときに、照明４が光を照射しても良い。
【０１１０】
上述した形態において、ビームスプリッタ１３に代えて、光学系６を通過した光を結像光学系９に向かって通過させる位置と、光学系７を通過した光を結像光学系９に向かって反射する位置とに回動する反射ミラーが設けられていても良い。この反射ミラーは、たとえば、一眼レフカメラの反射ミラーと同様に、左右方向を回動の軸方向として４５°回動する。この場合には、上述した形態と比較して撮像素子８に到達する光量を上げることが可能になる。また、この場合には、シャッタ機構１４が不要になる。
【０１１１】
上述した形態において、反射ミラー３４が上フレーム５３に直接、固定されるとともに、上下方向に対する反射ミラー３３の傾斜角度が調整可能となるように反射ミラー３３が上フレーム５３に取り付けられていても良い。また、上下方向に対する反射ミラー３４の傾斜角度が調整可能となるように反射ミラー３４が上フレーム５３に取り付けられるとともに、上下方向に対する反射ミラー３３の傾斜角度が調整可能となるように反射ミラー３３が上フレーム５３に取り付けられていても良い。
【０１１２】
上述した形態では、反射ミラー３３および反射ミラー３４を上下方向に移動させることで、光学系７および結像光学系９を通過する光の焦点位置が調整されているが、反射ミラー３３のみを上下方向に移動させることで、光学系７および結像光学系９を通過する光の焦点位置が調整されても良いし、反射ミラー３４のみを上下方向に移動させることで、光学系７および結像光学系９を通過する光の焦点位置が調整されても良い。すなわち、反射ミラー３３のみが第２光路長方向において位置調整可能となっていても良いし、反射ミラー３４のみが第２光路長方向において位置調整可能となっていても良い。
【０１１３】
また、上述した形態において、反射ミラー３３および反射ミラー３４の少なくともいずれか一方を、反射ミラー３３、３４の上端側または下端側を回動中心にして、かつ、左右方向を回動の軸方向にして回動させることで、光学系７および結像光学系９を通過する光の焦点位置が調整されても良い。すなわち、反射ミラー３３および反射ミラー３４の少なくともいずれか一方を回動させることで、反射ミラー３３および反射ミラー３４の少なくともいずれか一方の、第２光路長方向における位置が調整されても良い。
【０１１４】
また、上述した形態において、反射ミラー３３、３４が第２光路長方向において位置調整可能となっていることに代えて、または、反射ミラー３３、３４が第２光路長方向において位置調整可能となっていることに加えて、反射ミラー３０および反射ミラー３１の少なくともいずれか一方が第１光路長方向において位置調整可能となっていても良い。
【０１１５】
上述した形態において、ビームスプリッタ１３が、光学系６を通過した光の一部を結像光学系９に向かって反射するとともに光学系７を通過した光の一部を結像光学系９に向かって透過させるように、光学系６、７が構成されても良い。この場合には、たとえば、光学系６は、２個の反射ミラーを備え、光学系７は、３個の反射ミラーを備えている。また、光学系６、７が備える反射ミラーの数は４個以上であっても良い。
【０１１６】
上述した形態において、情報読取装置１は、上下方向を回動の軸方向としてカメラ１８を１８０°回動させる回動機構を備えていても良い。このように構成すると、たとえば、情報読取装置１に対して操作を行う操作者と、情報記録媒体２の保持者とが異なっており、かつ、操作者と保持者とが向かい合っている場合であっても、撮像素子８で読み取られた情報記録媒体２の顔写真情報と、カメラ１８で撮影された顔写真とを照合して、情報記録媒体２の所持者が本人であるのか否かを判別することが可能になる。
【０１１７】
上述した形態において、情報読取装置１は、ガラス板３に代えて、たとえば、アクリル板等の透明な樹脂板を備えていても良い。また、上述した形態において、情報記録媒体２にＩＣチップが内蔵されていなくても良い。この場合には、ガラス板３の下側に配置されるアンテナおよびアンテナ１７が不要になる。さらに、上述した形態において、情報記録媒体２は、パスポート２ＡおよびＩＤカード２Ｂ以外の媒体であっても良い。たとえば、情報記録媒体２は、運転免許証であっても良い。また、上述した形態では、情報読取装置１は、手動式の読取装置であるが、本発明の構成が適用される情報読取装置は、情報記録媒体の搬送機構を有する媒体搬送式の読取装置であっても良い。
【符号の説明】
【０１１８】
１  情報読取装置
２  情報記録媒体
３  ガラス板（載置部材）
４  照明（第１の照明）
５  照明（第２の照明）
６  光学系（第１の光学系）
７  光学系（第２の光学系）
８  撮像素子
９  結像光学系
１３  ビームスプリッタ
１４  シャッタ機構
１８  カメラ
３０、３１  反射ミラー
３３  反射ミラー（第１反射ミラー）
３４  反射ミラー（第２反射ミラー）
３７  シャッタ
３７Ａ  第１遮光位置
３７Ｂ  第２遮光位置
３８  シャッタ駆動機構
５３  上フレーム（ミラー保持部材）
【図１】
2018026804.tif 000003
【図２】
2018026804.tif 000004
【図３】
2018026804.tif 000005
【図４】
2018026804.tif 000006
【図５】
2018026804.tif 000007
【図６】
2018026804.tif 000008
【図７】
2018026804.tif 000009
【図８】
2018026804.tif 000010
【図９】
2018026804.tif 000011
【図１０】
2018026804.tif 000012
【図１１】
2018026804.tif 000013
【図１２】
2018026804.tif 000014
【図１３】
2018026804.tif 000015